(57)【特許請求の範囲】
【請求項１】
シールの貼付対象範囲の周辺に凹凸が形成された部材にシールを貼付するシール貼付治具であって、
貼付位置を指定されたシールの前記貼付対象範囲に収まりかつその貼付対象範囲と略同形状を有する先端面を備え、
前記先端面は、前記先端面と前記貼付対象範囲上との相対する周辺部同士の接触時に、中央部において前記シールの厚さ程度の隙間が形成されるよう湾曲するシール貼付治具。
【請求項２】
請求項１において、
前記先端面に続く先端部が、指定された前記貼付対象範囲を囲む部分に干渉しない形状であるシール貼付治具。
【発明の詳細な説明】
【技術分野】
【０００１】
本発明は、シール貼付治具に関する。
【背景技術】
【０００２】
従来、シール貼付の際に使用する工具としては、ピンセットの利用が一般的に用いられている。その中で、金属製の細長く薄い二股の板状物のシール貼り付け治具であって、へら状の二つの先端部を有し、先端部の一方が、へら状の面に対して垂直の垂直部を備える構成の治具を提案されている（特許文献１）。
【先行技術文献】
【特許文献】
【０００３】
【特許文献１】実開平３−３６８９７号公報
【発明の概要】
【発明が解決しようとする課題】
【０００４】
特許文献１に示す治具は、ピンセットの延長線上にあり、二股の金属製治具は、その先端部の垂直部によってシールの位置合わせを実施している。ここで、模型玩具などにおいては、シール貼付位置の周辺には凹凸形状の部位が配置されていることは珍しくない。従って、上記のように位置合わせの為の先端部の構成は、これらの凹凸形状の部位と干渉する可能性が大きいという問題があった。特に、シール貼付位置が窪み部分に対応し奥まっている場合には、ピンセットや二股の構成自体がシール貼付位置の周辺に干渉することから、シール貼付位置を露出させるように、貼付対象を不要な位置で分割する場合もあるという問題もあった。
【０００５】
そこで、プラモデル等の模型玩具の作成においては、シール貼付位置の周辺に凹凸が形成されないパーツを作成し、そのパーツにシールを貼付した後、他の装飾パーツ等を取り付けて立体的に仕上げていく必要があり、工程が複雑になり、大変手間のかかるものであった。また、シールを貼付しやすい形状にするため、シール貼付位置の周辺に凹凸を形成しないよう、不要な箇所であってもパーツを分割する必要があり、外観的にも見栄えが悪くなることがあった。
【０００６】
本発明は、複雑な形状のシール貼付位置であっても、指定位置に容易にシールを貼付することができるシール貼付治具を提供することを目的とする。
【課題を解決するための手段】
【０００７】
本発明のシール貼付治具は、シールの貼付対象範囲の周辺に凹凸が形成された部材にシールを貼付するシール貼付治具であって、貼付位置を指定されたシールの貼付対象範囲に収まりかつその貼付対象範囲と略同形状を有する先端面を備え、先端面は、先端面と貼付対象範囲上との相対する周辺部同士の接触時に、中央部においてシールの厚さ程度の隙間が形成されるよう湾曲する。
【０００８】
また、本発明のシール貼付治具において、先端面に続く先端部が、指定された貼付対象範囲を囲む部分に干渉しない形状であることが好ましい。
【発明の効果】
【０００９】
本発明によれば、複雑な形状のシール貼付位置に容易にシールを貼付することができるシール貼付治具を提供することが可能となる。
【図面の簡単な説明】
【００１０】
【図１】本発明に係わるシール貼付治具の斜視図である。
【図２】シール貼付治具が使用指定される貼付対象の斜視図である。
【図３】貼付対象の指定された貼付対象範囲に貼付されるシールの正面図である。
【図４】シール貼付治具の上面図である。
【図５】図４のＡ−Ａ’線の断面図である。
【図６】シール貼付治具の正面図である。
【図７】貼付対象の貼付対象範囲にシール貼付治具を適用する状況を示す斜視図である。
【発明を実施するための最良の形態】
【００１１】
以下、本発明に係わるシール貼付治具の実施形態について、図面を参照しながら説明する。図１は本発明の実施形態に係わるシール貼付治具の斜視図、図２は図１のシール貼付治具が使用指定される貼付対象の斜視図、図３は図２の貼付対象の指定された貼付対象範囲に貼付されるシールの正面図である。
【００１２】
本実施形態のシール貼付治具１０は、保持部１２と、先端部１４とから構成され、先端部１４には先端面１６が備えられる。この先端部１４及び先端面１６は、図２に示した貼付対象の指定位置２２に図３で示したシール３０を貼り付ける際に使用する専用治具として構成されている。
【００１３】
貼付対象は、人形ロボット玩具の頭部２０であり、シール３０に対する貼付対象範囲２２は、眼部２３ａ、２３ｂ及び鼻根部２４で占められる範囲である。本実施の形態では、貼付対象範囲２２の周囲には、貼付対象範囲２２の表面より突出した眉山部２６及び頬部２８が設けられ、貼付対象範囲２２は眉山部２６及び頬部２８からは奥まって形成されている。シール３０は、人形ロボット玩具の頭部２０の眼部２３ａ、２３ｂに対応する両端部３２ａ、３２ｂと、鼻根部２４に対応する中央部３４から構成される。そして、貼付対象範囲２２の奥まった範囲全域に渡って貼り付けられるよう指定されている。
【００１４】
先端面１６とその先端面１６に続く先端部１４は、貼付対象範囲２２とその回りの形状に対応して専用で構成される。先端面１６は、シール３０貼付の際には、シール３０に当接して、貼付位置へシール３０を押しつける。
【００１５】
図１、図４、図５、図６で示すように、先端面１６は、貼付対象範囲２２の眼部２３ａ、２３ｂ及び鼻根部２４に対応して湾曲した先端面１６ａ、１６ｂを形成され、更に貼付対象範囲２２の面積範囲内で、その形状と略同形状を適用されている。先端面１６の湾曲構成は、先端面１６ａ、１６ｂと相対する眼部２３ａ、２３ｂのそれぞれの縁部分が当接する場合に、鼻根部２４と先端面１６ｃとの間にシール３０の厚さ程度の隙間ができるように形成されている。
【００１６】
先端部１４は、奥まった貼付対象範囲２２の深さと少なくとも同等の長さで保持部１２から突出する突出部分である。この突出部分である先端部１４は、先端面１６の幅と同等程度の厚みに抑えられている。従って、シール３０を貼り付ける際に、眉山部２６及び頬部２８にシール貼付治具１０が干渉することはない構成である。
【００１７】
このように、先端部１４は、指定された貼付対象範囲２２を囲む部分に干渉しない形状であればよく、貼付対象範囲２２を囲む部分の形状（眉山部２６及び頬部２８など）に対応して、適宜に構成される。予め指定された貼付対象であるので、その形状も解っており、その形状に沿って構成することで、干渉を完全に避けることが可能である。本実施の形態において、シール貼付治具の先端面は、貼付対象範囲に指定されたシールに対して、その貼付対象範囲に収まるこのシール専用の形状を備えることにより、先端面が貼付対象範囲を囲む部分と干渉することなく、シールを貼付対象範囲に確実に押しつけることができる。
【００１８】
本実施形態のシール貼付治具１０は、ランナーから部品を分離する時に用いる模型用部材分離治具での役割のない部分（後端部分）を使用している。つまり、逆に述べれば、保持部１２を中心に、先端面１６と先端部１４の反対側には模型用部材分離用の爪部１８が備えられている。これらはそれぞれの側が必要に応じ使用される。この爪部１８は模型用部材分離後には、不要となるため、本実施形態により新たな役割を与えられる治具となる。本発明では、本実施形態の模型用部材分離治具以外にも、役割のない部分がある部材には適用可能であり、本件のような模型の場合、ランナー、製品プレート、電池蓋、パーツの一部などに適用可能である。
【００１９】
図７に示すように、貼付対象範囲２２へのシール３０の貼り付けにおいて、奥まった位置にある貼付対象範囲２２に対して、シール貼付治具１０の先端部１４によりシール３０を押し込む状態となる。シール貼付治具１０には上下の目印１９が配置され、上下方向を指定している。先端面１６と貼付対象範囲２２との距離を均等に保ったまま、シール３０の位置合わせの微調節を行いつつ、シール３０を押し込み、貼付対象範囲２２にシール３０を貼り付ける。
【００２０】
位置合わせの微調整についての他の手順として、まず、シール３０の端部３２ａを眼部２３ａと先端面１６ａとで挟持することも可能である。この時、端部３２ａの位置合わせは略完了することとなる。次に、端部３２ｂ側を先端面１６ｂにより眼部２３ｂへ徐々に近づける。この近づける間に、端部３２ｂの微調整を続け、眼部２３ｂ側へ押し込むことも可能である。
【００２１】
いずれにしても、先端面１６の湾曲構成は、先端面１６ａ、１６ｂと相対する眼部２３ａ、２３ｂのそれぞれの縁部分が当接する場合に、鼻根部２４と先端面１６ｃとの間にシール３０の厚さ程度の隙間ができるように形成されている。従って、シール３０の両端部３２ａ、３２ｂから位置決めでき、中央部３４は両端部３２ａ、３２ｂの位置が決まってから貼り付くこととなり、シール３０を貼付対象範囲２２へ正確かつ容易に貼り付けることができる。
【００２２】
本実施形態によれば、予め指定された貼付対象範囲２２に対する専用のシール貼付治具１０とすることで、作業にもっとも適した形態を与えて、作業の簡素化と、正確な貼り付けを実施することができ、大きさも最小限に止めることができる。また、奥まった位置の貼付対象範囲にも対応でき、部品を不要な位置で分割するような必要も無い。
【００２３】
なお、本発明は上記実施形態に限定されるものではなく、本発明の目的を達成できる範囲での変形、改良などは本発明の含まれるものである。例えば、本実施形態は、人形ロボット玩具の頭部２０、特に、眼部２３ａ、２３ｂ及び鼻根部２４で占められる範囲が貼付対象範囲であるが、このような箇所に限定されることはない。専用のシール貼付治具が求められる部分であれば、適用可能であり、特に、シール貼付対象範囲の周囲に凹凸が形成された奥まった部分や、ピンセットなどでは困難が伴う部分に有効である。
【符号の説明】
【００２４】
１０  シール貼付治具
１２  保持部
１４  先端部
１６ａ、１６ｂ  先端面
１９  目印
２０  人形ロボット玩具の頭部
２２  貼付対象範囲
２３ａ、２３ｂ  眼部
２４  鼻根部
３０  シール
３２ａ、３２ｂ  両端部
３４  中央部
【図１】
0005358555.tif 000002
【図２】
0005358555.tif 000003
【図３】
0005358555.tif 000004
【図４】
0005358555.tif 000005
【図５】
0005358555.tif 000006
【図６】
0005358555.tif 000007
【図７】
0005358555.tif 000008